(57)【要約】  テンション・マスク構体（１０）と、フェースプレート・パネル（３）上の発光スクリーン（１２）とを有する陰極線管（１）であって、上記テンション・マスク構体が、テンション・マスク（３０）を支持する１対の支持ブレードを含んでいる。このテンション・マスクは、各々がそれぞれの支持ブレードに固定された１対のマスク・ボーダー部（６６）と、該マスク・ボーダー部相互間を伸延する複数のストランド（６２）とを有する。更に、上記テンション・マスクは、ストランドのスクリーンに面した側で、このストランドに対して略垂直に伸延するクロス・ワイヤ（６０）と、マスク・ボーダー部相互間で伸延し、このマスク・ボーダー部に取り付けられた少なくとも１つのシールド構体（７０）とを含んでいる。シールド構体は、少なくとも１本のストランドに接触してマスクの１つの側部に沿って伸延するシース（５４）と、このシースと一部重畳してマスクのクロス・ワイヤに取り付けられたシールドとを有する。
2005515587.tif 000002
【特許請求の範囲】
【請求項１】
テンション集束マスク構体（１０）と、フェースプレート・パネル（３）上の発光スクリーン（１２）とを有する陰極線管（１）であって、
前記テンション集束マスク構体が、
１対の長辺（２２、２４）と１対の短辺（２６、２８）とを有する矩形マスク・フレームと、
前記長辺のそれぞれに対する少なくとも１つの取り付けポイントの付近に１対のマスク・ボーダー部（６６）を有し、前記長辺相互間を伸延するテンション・マスク（３０）と、を含み、
前記テンション・マスクが、前記マスク・ボーダー部相互間を伸延する複数のストランド（６２）と、該ストランドに対して略垂直に伸延し、該ストランドから電気的に絶縁された複数のクロス・ワイヤ（６０）とを有し、
更に、前記テンション集束マスク構体が、
シース（５４）、シールド、および、少なくとも１つの減衰素子を有するシールド構体（７０）を含み、
前記シースが、前記マスク・ボーダー部内の開孔を通過して伸延するタブによって前記マスク・ボーダー部に取り付けられた少なくとも１つの平坦部を有し、且つ、前記マスク・ボーダー部の内側に配置されて前記マスク・ストランドの少なくとも１本と摩擦接触し、
前記シールドが、前記シースの反対側で前記マスク・ボーダー部と前記クロス・ワイヤとを覆うように配置されて固定され、また、前記シースと前記マスク・ストランドの少なくとも１本とに覆い被さる内側縁端部を有し、その際、このマスク・ストランドの１本と正確に整列し、この正確に整列したシールドによって、正確な最端のマスク開孔が得られ、前記発光スクリーンの最端の蛍光体トライアッドの正確なプリントが容易になり、
前記減衰素子が、前記シールドに取り付けられて該シールドから突出しており、前記マスクに垂直な振動を低減する、
陰極線管。  
【請求項２】
前記シースが、前記ストランドに対して実質的に平行に配置された、請求項１記載の陰極線管。
【請求項３】
前記マスク・ボーダー部が、前記クロス・ワイヤに対して実質的に平行に配置され、且つ、前記シースを超えて伸延している、請求項１記載の陰極線管。
【請求項４】
テンション・マスク構体（１０）と、フェースプレート・パネル（３）上の発光スクリーン（１２）とを有する陰極線管（１）であって、
前記テンション・マスク構体が、
テンション・マスク（３０）を支持する１対のテンション・マスク支持ブレード部材（４０）を含み、
前記テンション・マスクが、各々がそれぞれの前記テンション・マスク支持ブレード部材に固定された１対のマスク・ボーダー部（６６）と、該マスク・ボーダー部相互間を伸延する複数のストランド（６２）とを有し、
更に、上記テンション・マスク構体が、
前記ストランドのスクリーンに面した側で、該ストランドに対して略垂直に伸延する複数のクロス・ワイヤと、
前記マスク・ボーダー部相互間で伸延し、該マスク・ボーダー部に取り付けられた少なくとも１つのシールド構体（７０）と、を含み、
前記シールド構体が、少なくとも１本のストランドに接触して前記マスクの１つの側部に沿って伸延するシース（５４）と、該シースと一部重畳して前記マスクの前記クロス・ワイヤに取り付けられたシールドとを有する、
陰極線管。  
【請求項５】
前記シースが、前記マスク・ボーダー部内の開孔を通過した複数のタブによって、該マスク・ボーダー部に固定される、請求項４記載の陰極線管。
【請求項６】
更に、前記シールドに固定され、該シールドから外側に伸延する減衰素子を含む、請求項４記載の陰極線管。
【発明の詳細な説明】
【技術分野】
【０００１】
この発明は、一般に、テンション・マスク構体を有する陰極線管に関し、詳しくは、振動減衰手段を有するテンション・マスク構体に関する。
【背景技術】
【０００２】
カラーの陰極線管（ＣＲＴ）には、３本の電子ビームを生成して陰極線管のスクリーンに向けて発射する電子銃が含まれている。スクリーンは、陰極線管のフェースプレート・パネルの内側表面に配置されており、３つの異なる色発光蛍光体から成る素子のアレーによって構成されている。成形マスク、或いは、ストランド（ｓｔｒａｎｄ）を有するテンション・マスクの何れかであるシャドウマスクが、電子銃とスクリーンとの間に配置されている。電子銃から発射された電子ビームがシャドウマスクの各開孔を通過してスクリーンに到達し、これによって各蛍光体が発光して、フェースプレート・パネルの可視表面上に映像が表示される。
【０００３】
ある種のＣＲＴには、一組のストランドを含むテンション・マスクが設けられている。この一組のストランドは、マスク支持フレームに張力が働くようにピンと張られており、外部の励振によって大きな振幅で振動する傾向が低減される。大きな振幅で振動すると、スクリーン上に於いて電子ビームの重大なズレが生じ、その結果、ＣＲＴの視聴者にとって不快な映像異常が生じる。
【０００４】
上記の電子ビームの重大なズレを引き起こす振動は、例えば、ＴＶセット内のマイクロフォニック作用の発生源から生じる。このマイクロフォニック作用発生源が発生する振動の量を制御することは難しいが、このようなマイクロフォニック作用に因る振動が存在する環境に、ＣＲＴ内のテンション・マスクが適応できるようにすることが必要である。また、マスク・ストランドを張力が働くようにピンと張ることによって、電子ビームのズレが低減されるが、更なる低減が必要である。従って、ＴＶセット内の振動発生源に起因するスクリーン上の電子ビームの不所望なズレを更にできる限り低減する振動減衰特性を有するマスク・フレーム構体を開発することが望ましい。
【発明の開示】
【０００５】
（発明の概要）
テンション・マスク構体と、フェースプレート・パネル上の発光スクリーンとを有する陰極線管であって、上記テンション・マスク構体が、テンション・マスクを支持する１対の支持ブレード（ｂｌａｄｅ）を含んでいる。このテンション・マスクは、各々がそれぞれの支持ブレードに固定された１対のマスク・ボーダー部と、該マスク・ボーダー部相互間を伸延する複数のストランドとを有する。更に、上記テンション・マスクは、ストランドのスクリーンに面した側で、このストランドに対して略垂直に伸延するクロス・ワイヤと、マスク・ボーダー部相互間で伸延し、このマスク・ボーダー部に取り付けられた少なくとも１つのシールド構体とを含んでいる。シールド構体は、少なくとも１本のストランドに接触してマスクの１つの側部に沿って伸延するシースと、このシースと一部重畳してマスクのクロス・ワイヤに取り付けられたシールドとを有する。
【０００６】
以下、図面を参照して、本発明の実施例を説明する。
【発明を実施するための最良の形態】
【０００７】
図１は、陰極線管（ＣＲＴ）１を示しており、このＣＲＴ１は、矩形フェースプレート・パネル３と、管状ネック部４と、これらを接続するファンネル部５とから成るガラス製外囲器２を有する。ファンネル部５の内側には、アノード・ボタン６からフェースプレート・パネル３に向かって伸延し、また一方、ネック部４まで伸延する導電性皮膜（図示せず）が形成されている。フェースプレート・パネル３は、可視フェースプレート８と周辺フランジである側壁部９とから成り、側壁部９は、ガラス・フリット７によって、ファンネル部５に封止されている。
【０００８】
３色蛍光体スクリーン１２が、フェースプレート・パネル３の内側表面に設けられている。スクリーン１２は、各蛍光体ラインがトライアッド（ｔｒｉａｄ：３つ組）に配列されたライン型スクリーンであり、トライアッドの各々には３色の蛍光体ラインが含まれている。テンション・マスク・フレーム構体１０が、スクリーン１２に対して所定の間隔を置いて、取り外し可能に装着されている。図１に破線で概略的に示した電子銃１３が、ネック部４内の中央に配置されており、３本のインライン型電子ビームを発射し、中央ビーム１本と外側ビーム２本がコンバージェンス経路を辿り、テンション・マスク・フレーム構体１０を通過して、スクリーン１２に到達する。
【０００９】
図１のＣＲＴ１は、ファンネル部とネック部との接合部分の近傍に示す外付け磁気偏向ヨーク１４と共に使用するように設計されている。ヨーク１４が付勢されると、３本の電子ビームは、磁界の影響を受けて、スクリーン１２上に矩形ラスタを描くように水平方向および垂直方向に走査する。
【００１０】
図２に示すように、テンション・マスク・フレーム構体１０には、２本の長辺２２および２４と、２本の短辺２６および２８とが含まれている。テンション・マスク・フレーム構体１０の２本の長辺２２および２４は、陰極線管の中央長軸Ｘと平行であり、また、２本の短辺２６および２８は、陰極線管の中央短軸Ｙと平行である。側部２２、２４、２６および２８は、矩形管状部材で形成することが望ましい。この２本の長辺２２および２４と２本の短辺２６および２８とは、中断されていない、即ち、連続したマスク支持フレーム２０を形成し、且つ、長辺２２および２４が、テンション・マスク３０と略平行な共通平面内に在ることが望ましい。テンション・マスク支持ブレード部材４０が、テンション・マスク３０を支持するために、長辺２２および２４の各々に取り付けられている。テンション・マスク３０が、以下詳しく説明するように、各支持ブレード部材４０に取り付けられている。
【００１１】
次に、図３および図４を参照して、本発明の振動減衰機構を更に詳しく説明する。テンション・マスク３０は、溶接等の従来方法により、各支持ブレード部材４０の低縁端部に沿って終端されている。テンション・マスク３０は、ボーダー部６６から伸延する複数のストランド６２を有する。尚、長辺２４に沿う１つの縁端部のみ図示しているが、長辺２２の近傍の反対側縁端部にも、同様なボーダー部および取り付け機構が配置されている。複数のクロス・ワイヤ６０が、ストランド６２に被さるように、且つ、これと略垂直に伸延している。このクロス・ワイヤ６０は、ストランド６２に対して電気的に絶縁されており、ストランド６２のスクリーンに面する側に伸延している。また、クロス・ワイヤ６０は、短辺２６に沿って伸延するバス・バー部６４の所で終端している。
【００１２】
シース（外装）構体５０が、このバス・バー部６４の内側に設けられている。このシース構体５０は、テンション・マスク３０の電子銃に面する側に配置されたシース（外装）５４を有する。シールド（遮蔽部）７０が、シース５４の反対側、即ち、テンション・マスク３０のスクリーンに面した側に配置されている。この結果、ストランド６２とクロス・ワイヤ６０の両方は、シース５４とシールド７０との間に位置する。また、シース５４は、少なくとも１本のストランド６２を覆うように配置されている。シース５４は、１対の互いに離間されたマスク係合表面５２および５６を有する。このマスク係合表面５２および５６の各々から、それぞれ、部分５７および５８が角度を成して伸延している。この角度を成す部分５７および５８は、平坦部５５によって、互いに接続されている。シース５４の最低部と最高部の近傍には、それぞれ、１対のタブ６８が、平坦部５５から外側に伸延し、マスク・ボーダー部６６内の開孔７２を通過して屈折し、テンション・マスク３０のスクリーンに面する側に係合している。
【００１３】
シース構体５０は、シース５４のマスクに係合する表面５６が少なくとも１本或いは数本のストランド６２と接触するように、配置されている。同様に、シールド７０は、少なくとも１本或いは数本のストランド６２に覆い被さり、これと正確に整列するように、配置されている。この整列が正確であるため、最端のマスク開孔コラムを有効に使用でき、スクリーン両側の最端の各蛍光体トライアッドを正確にプリント（焼き付け）できる。更に、上記整列が正確であるため、陰極線管動作中に最端の蛍光体トライアッドにランディングする電子ビームのクリッピング／リービング・トレランス（ｃｌｉｐｐｉｎｇ  ａｎｄ  ｌｅａｖｉｎｇ  ｔｏｌｅｒａｎｃｅ）（切り取り除外公差）が適正になる。また、図４は、クロス・ワイヤ６０をシールド７０に取り付けるための導電性接着剤７４を示している。
【００１４】
振動減衰手段をシース構体５０の縁端部に設けることが出来る。図４は、そのような振動減衰手段の１つを示している。ここでは、振動減衰装置８０が、シース構体５０の縁端部に設けられている。この振動減衰装置８０は、シールド７０の縁端部から伸延するアーム部８２を有する。リング部８４が、このアーム部８２に疎接続されており、マスク３０とシース構体５０とに沿う振動を更に吸収するように成っている。
【００１５】
リング部８４は、アーム部８２の開孔内を自由にスライド（摺動）できるように成っている。テンション・マスク３０が音響エネルギまたはその他のエネルギによって励振するとき、このテンション・マスク３０に伝達されたエネルギは、次にアーム部８２に伝達され、これによってリング部８４が上記開孔内をスライドするように駆動され、その結果、上記エネルギが取り除かれる。
【００１６】
各シース構体５０は、次のように、テンション・マスク３０とマスク支持ブレード部材４０とに組み合わされる。先ず、各マスク・ボーダー部６６が、溶接等の従来技術によって、張力（テンション）が加えられた状態で、マスク支持ブレード部材４０に取り付けられる。次に、絶縁層（図示せず）が、テンション・マスク３０のスクリーンに面した側に形成されて、各ストランド６２を覆うようにする。
【００１７】
次に、各クロス・ワイヤ６０が、各ストランド６２を覆うように取り付けられて、バス・バー部６４の所で終端するようにする。この際、各クロス・ワイヤ６０は、各ストランド６２から絶縁され、これと略垂直に配置される。次に、各シース構体５０が、各タブ６８を各開孔７２に挿入して、これをマスク・ボーダー部６６のスクリーンに面した側に折り曲げることによって、設けられる。この際、各タブ６８をマスク・ボーダー部６６に溶接することが望ましい。次に、シールド７０が、陰極線管の処理中に硬化するガラス・フリット等の接着剤を使用して、シース５４の反対側に取り付けられる。シース５４とシールド７０の両者は、マスク・ボーダー部６６が、少なくとも１本のストランド６２と摩擦接触して、テンション・マスク３０内の振動を減衰するように、配置される。
【００１８】
上述した本発明の振動減衰機構は、スクリーン上に望ましくない重大な電子ビームのズレを生じさせるテンション・マスク３０内の振動を減衰する作用を有する。以上、本発明の開示事項を組み込んだ実施形態を詳細に図示し説明した。従って、当業者であれば、本発明の精神から離脱することなく、上記開示事項を組み込んだその他の様々な実施形態を考案できるであろう。
【図面の簡単な説明】
【００１９】
【図１】テンション・マスク・フレーム構体を示すＣＲＴの断面図である。
【図２】テンション・マスク・フレーム構体の透視図である。
【図３】本発明に従う減衰機構を有する図２に示すコーナー部の部分的透視図である。
【図４】減衰機構の断面図である。
【図１】
2005515587.tif 000003
【図２】
2005515587.tif 000004
【図３】
2005515587.tif 000005
【図４】
2005515587.tif 000006
【国際調査報告】
2005515587.tif 000007
2005515587.tif 000008
2005515587.tif 000009